(57)【特許請求の範囲】
【請求項１】
第一装飾と、前記第一装飾と同一形状を有し、前記第一装飾を拡大した第二装飾とを遊技者に視認可能とする演出を行う遊技機の可動演出装置であって、
前記第一装飾と前記第二装飾の第一部分とを有する第一可動部材と、
前記第二装飾の第二部分を有する第二可動部材とを具備し、
前記第一装飾を遊技者に視認可能とする場合には、前記第一可動部材が、前記第一装飾を遊技者に視認可能とするとともに前記第二装飾の前記第一部分を遊技者に視認不能とし、前記第二可動部材が、前記第二装飾の前記第二部分を遊技者に視認不能とし、
前記第二装飾を遊技者に視認可能とする場合には、前記第一可動部材が、前記第一装飾を遊技者に視認不能とするとともに前記第二装飾の前記第一部分を遊技者に視認可能とし、前記第二可動部材が、前記第二装飾の前記第二部分を遊技者に視認可能とすることを特徴とする遊技機の可動演出装置。
【発明の詳細な説明】
【技術分野】
【０００１】
本発明は、装飾が施された可動部材（可動役物）を備える遊技機の可動演出装置の技術に関する。
【背景技術】
【０００２】
従来、装飾が施された可動部材（可動役物）を備える遊技機の可動演出装置の技術は公知となっている。例えば、特許文献１に記載の如くである。
【０００３】
特許文献１に記載の遊技機の可動演出装置は、第一装飾が施されると共に、遊技盤に対して固定される固定部材（装置基体）と、第二装飾が施されると共に、固定部材に対して移動可能に構成される可動部材（可動役物）と、を具備し、固定部材（第一装飾）の背後に隠された可動部材（第二装飾）を遊技者から視認可能な位置に移動（出現）させる演出を行うことによって、当該遊技者に印象を与えることができ、興趣性を向上させることができる。
【０００４】
しかし、特許文献１に記載の遊技機の可動演出装置では、第一装飾が施された固定部材が動くことはないため、当該第一装飾が配置されたスペースを有効利用できない点で不利であった。
また、遊技者が視認できるのは、固定部材の背後から可動部材が出現する動きだけであるため、演出が単調になってしまうおそれがある点で不利であった。
【先行技術文献】
【特許文献】
【０００５】
【特許文献１】特開２００８−２８４２２７号公報
【発明の概要】
【発明が解決しようとする課題】
【０００６】
本発明は、以上の如き状況に鑑みてなされたものであり、その解決しようとする課題は、スペースを有効利用するとともに、遊技者に新鮮な印象を与えることができる遊技機の可動演出装置を提供するものである。
【課題を解決するための手段】
【０００７】
本発明の解決しようとする課題は以上の如くであり、次にこの課題を解決するための手段を説明する。
【０００８】
即ち、請求項１においては、第一装飾と、前記第一装飾と同一形状を有し、前記第一装飾を拡大した第二装飾とを遊技者に視認可能とする演出を行う遊技機の可動演出装置であって、前記第一装飾と前記第二装飾の第一部分とを有する第一可動部材と、前記第二装飾の第二部分を有する第二可動部材とを具備し、前記第一装飾を遊技者に視認可能とする場合には、前記第一可動部材が、前記第一装飾を遊技者に視認可能とするとともに前記第二装飾の前記第一部分を遊技者に視認不能とし、前記第二可動部材が、前記第二装飾の前記第二部分を遊技者に視認不能とし前記第二装飾を遊技者に視認可能とする場合には、前記第一可動部材が、前記第一装飾を遊技者に視認不能とするとともに前記第二装飾の前記第一部分を遊技者に視認可能とし、前記第二可動部材が、前記第二装飾の前記第二部分を遊技者に視認可能とするものである。
【発明の効果】
【０００９】
本発明の効果として、以下に示すような効果を奏する。
【００１０】
請求項１においては、第一装飾が配置されていたスペースを有効利用するとともに、遊技者に新鮮な印象を与えることができる
【図面の簡単な説明】
【００１１】
【図１】本発明の一実施形態に係る可動演出装置を具備する遊技機の正面図。
【図２】同じく、遊技機の窓枠が開放された状態を示した前方斜視図。
【図３】同じく、遊技盤を示した正面図。
【図４】第一の状態における可動演出装置を示した前方斜視図。
【図５】同じく、後方斜視図。
【図６】第一可動部材が回動した状態における可動演出装置を示した前方斜視図。
【図７】同じく、後方斜視図。
【図８】第一可動部材が回動した状態における遊技盤を示した正面図。
【図９】第二可動部材が移動している際の可動演出装置を示した前方斜視図。
【図１０】同じく、後方斜視図。
【図１１】第二可動部材が移動している際の遊技盤を示した正面図。
【図１２】第二の状態における可動演出装置を示した前方斜視図。
【図１３】同じく、後方斜視図。
【図１４】可動演出装置が第二の状態にある際の遊技盤を示した正面図。
【発明を実施するための形態】
【００１２】
まず、本発明に係る遊技機の可動演出装置の一実施形態に係る可動演出装置１００を具備する遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１３】
遊技機１は、図１から図３が示すように、主として、外枠２と、中枠３と、窓枠４と、により構成される枠体に、各種の遊技部品が取り付けられて形成される。
【００１４】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１５】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１６】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１７】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１８】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１９】
次に、遊技盤６の構成について、図３を用いてさらに詳細に説明する。
【００２０】
遊技盤６は、図３に示すように、遊技板１０と、ガイドレール１１と、センター役物１２と、図柄表示装置１３と、可変入賞装置１４と、大入賞装置１５と、アウト口１６と、可動演出装置１００等により構成される。
【００２１】
遊技板１０は、四隅が適宜に切り欠けられた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
【００２２】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２３】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２４】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２５】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２６】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２７】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２８】
可動演出装置１００は、所定の演出を行うことにより、遊技者に視覚的な印象（インパクト）を与え、その遊技者の興趣を高めるものである。可動演出装置１００は、図柄表示装置１３（液晶画面２６）の上方であって、前後方向においてセンター役物１２と液晶画面２６との間、すなわちセンター役物１２よりも後方であって液晶画面２６よりも前方に配置される。
【００２９】
以下では、可動演出装置１００の構成について詳細に説明する。
【００３０】
図３から図１４までに示す可動演出装置１００は、主として、第一可動部材２００と、第一駆動機構３００と、第二可動部材４００と、第二駆動機構５００と、により構成される。
なお、第一駆動機構３００及び第二駆動機構５００は、図４にのみ図示し、その他の図面においては便宜上図示を省略している。
【００３１】
図３から図８までに示す第一可動部材２００は、所定の装飾が施され、当該装飾を遊技者に視認させることにより演出を行うものである。第一可動部材２００は、主として、左側基部２１０と、右側基部２２０と、回動部材２３０と、により構成される。
【００３２】
図４及び図５に示す左側基部２１０は、前面及び左側面からなる平面視略Ｌ字状の部材である。左側基部２１０の前面には、後述する第二装飾（大きい「天」の文字を模した装飾）の一部（「天」の文字の一画目の左端部）が施される。左側基部２１０（より詳細には、左側基部２１０の左側面）の後面には、当該後面の左上から右下方に向かって案内溝２１１が形成される。左側基部２１０は、遊技盤６（図３等参照）に対して適宜の方法で固定される。
【００３３】
右側基部２２０は、略箱状の部材である。右側基部２２０には、当該右側基部２２０を左右方向に貫通する貫通孔が形成される。右側基部２２０は、左側基部２１０と所定の間隔をあけて当該左側基部２１０の右方に配置され、遊技盤６（図３等参照）に対して適宜の方法で固定される。
【００３４】
図４から図７までに示す回動部材２３０は、第一の面２３１（図４における前面）及び第二の面２３２（図５における下面）からなる側面視略Ｌ字状の部材である。回動部材２３０の第一の面２３１には、小さい「天」の文字を模した装飾（以下、この装飾を「第一装飾」と記す）が施される。回動部材２３０の第二の面２３２には、大きい「天」の文字を模した装飾（第二装飾）の一部（「天」の文字の一画目の中央部から左端部まで）が施される。回動部材２３０は、左側基部２１０と右側基部２２０との間に配置される。回動部材２３０は、回動軸２３３を具備する。
【００３５】
回動軸２３３は、回動部材２３０の回動支点となるものである。回動軸２３３は、その軸線を左右方向に向けて配置され、回動部材２３０に固定される。回動軸２３３の一端部（右端部）は、右側基部２２０の貫通孔に挿通され、当該右側基部２２０に対して回動可能に支持される。これによって、回動部材２３０も右側基部２２０に対して当該回動軸２３３を中心として回動可能に支持されることになる。
【００３６】
図４に示す第一駆動機構３００は、第一可動部材２００を駆動させるためのものである。第一駆動機構３００は、主として、モータ３１０と、出力ギヤ３２０と、従動ギヤ３３０と、により構成される。
【００３７】
モータ３１０は、その出力軸を左方向に向けた状態で、第一可動部材２００の右方に配置される。
【００３８】
出力ギヤ３２０は、モータ３１０の出力軸に固定される。
【００３９】
従動ギヤ３３０は、右側基部２２０の右方において、回動部材２３０の回動軸２３３の右端に固定される。従動ギヤ３３０は、出力ギヤ３２０と歯合される。
【００４０】
図４から図７までに示す第二可動部材４００は、所定の装飾が施され、当該装飾を遊技者に視認させることにより演出を行うものである。第二可動部材４００は、主として、第一移動部材４１０と、伸縮機構４２０と、第二移動部材４３０と、により構成される。
【００４１】
第一移動部材４１０は、略矩形板状の部材である。第一移動部材４１０は、その板面を回動部材２３０の第二の面２３２の板面と同じ方向に向けて配置される。より具体的には、図４及び図５に示す状態においては、第一移動部材４１０は、その板面を上下方向に向けた状態で、回動部材２３０の第二の面２３２の上方かつ第一の面２３１の後方（背後）に配置される。第一移動部材４１０の一の面（回動部材２３０の第二の面２３２と対向する側の面）には、第二装飾の一部（「天」の文字の二画目）が施される。第一移動部材４１０の他の面（回動部材２３０の第二の面２３２と対向しない側の面）の左端部から左右中央部に亘っては、係合溝４１１が形成される。係合溝４１１は、図４に示す状態においては左前から右後方に向かって、図７に示す状態においては左上から右下方に向かって、形成される。
【００４２】
図４、図５及び図７に示す伸縮機構４２０は、第一移動部材４１０を回動部材２３０に連結するものである。伸縮機構４２０は、４本のアーム及びそれらを適宜連結させ、又は他の部材に回動可能に支持させる複数の軸からなる、いわゆるパンタグラフ機構である。伸縮機構４２０の伸縮方向（図４及び図５における前後方向、図６及び図７における上下方向）一端部は回動部材２３０に、他端部は第一移動部材４１０に、それぞれ連結される。
【００４３】
なお、本実施形態においては、図示せぬ付勢部材により、第一移動部材４１０は常時回動部材２３０の第一の面２３１に近接する方向（伸縮機構４２０が縮む方向）に付勢されており、当該第一移動部材４１０に外部から力を加えなければ当該第一移動部材４１０は回動部材２３０の第一の面２３１に最も近接した状態に保持されるものとする。
【００４４】
第二移動部材４３０はさらに、左側移動部材４３１と、右側移動部材４３２と、連結部材４３３と、により構成される。
【００４５】
左側移動部材４３１は、第一可動部材２００の概ね左下方に配置される。左側移動部材４３１は、左側本体部４３１ａ、左側支持部４３１ｂ、左側回動軸４３１ｃ、左側連結部４３１ｄ及び係合軸４３１ｅ等を具備する。
【００４６】
左側本体部４３１ａは、略箱状の部材である。左側本体部４３１ａの前面には、第二装飾の一部（「天」の文字の三画目の下部）が施される。
【００４７】
左側支持部４３１ｂは、細長い略板状の部材である。左側支持部４３１ｂの一端は左側本体部４３１ａの下端部に連結され、左側支持部４３１ｂの他端は左下方へと延設される。左側支持部４３１ｂは、遊技者から視認し難くなるように、透明な部材で形成される。
【００４８】
左側回動軸４３１ｃは、左側移動部材４３１の回動支点となるものである。左側回動軸４３１ｃは、その軸線を前後方向に向けて配置され、左側支持部４３１ｂの他端に相対回動可能となるように挿通される。左側回動軸４３１ｃは、遊技盤６（図３等参照）に対して適宜の方法で固定される。
【００４９】
左側連結部４３１ｄは、左側支持部４３１ｂの他端部から略上方へと延設される部分である。
【００５０】
係合軸４３１ｅは、左側本体部４３１ａと第一移動部材４１０とを係合させるものである。係合軸４３１ｅは、その軸線を前後方向に向けて配置され、左側本体部４３１ａの上端部から前方に向けて延設される。
【００５１】
右側移動部材４３２は、第一可動部材２００の概ね右下方に配置される。右側移動部材４３２は、右側本体部４３２ａ、右側支持部４３２ｂ、右側回動軸４３２ｃ及び右側連結部４３２ｄ等を具備する。
【００５２】
右側本体部４３２ａは、略箱状の部材である。右側本体部４３２ａの前面には、第二装飾の一部（「天」の文字の四画目の下部）が施される。
【００５３】
右側支持部４３２ｂは、細長い略板状の部材である。右側支持部４３２ｂの一端は右側本体部４３２ａの下端部に連結され、右側支持部４３２ｂの他端は下方へと延設される。左側支持部４３２ｂは、遊技者から視認し難くなるように、透明な部材で形成される。
【００５４】
右側回動軸４３２ｃは、右側移動部材４３２の回動支点となるものである。右側回動軸４３２ｃは、その軸線を前後方向に向けて配置され、右側支持部４３２ｂの他端に相対回動不能となるように固定される。右側回動軸４３２ｃは、遊技盤６（図３等参照）に対して適宜の方法で相対回動可能となるように支持される。
【００５５】
右側連結部４３２ｄは、右側支持部４３２ｂの他端部から略下方へと延設される部分である。
【００５６】
連結部材４３３は、左側移動部材４３１と右側移動部材４３２とを連結するものである。連結部材４３３は、細長い略板状の部材であり、その長手方向を概ね左右方向に向けて配置される。連結部材４３３の一端（左端）は左側移動部材４３１の左側連結部４３１ｄに、連結部材４３３の他端（右端）は右側移動部材４３２の右側連結部４３２ｄに、それぞれ相対回動可能となるように連結される。
【００５７】
図４に示す第二駆動機構５００は、第二可動部材４００を駆動させるためのものである。第二駆動機構５００は、主として、モータ５１０と、出力ギヤ５２０と、従動ギヤ５３０と、により構成される。
【００５８】
モータ５１０は、その出力軸を後方向に向けた状態で、右側移動部材４３２の右側支持部４３２ｂの概ね前方に配置される。
【００５９】
出力ギヤ５２０は、モータ５１０の出力軸に固定される。
【００６０】
従動ギヤ５３０は、右側支持部４３２ｂの前方において、右側回動軸４３２ｃの前端に固定される。従動ギヤ５３０は、出力ギヤ５２０と歯合される。
【００６１】
以下では、上述の如く構成された可動演出装置１００による演出について説明する。
【００６２】
可動演出装置１００は、小さい「天」の文字を模した第一装飾と、当該第一装飾と同じ「天」の文字を模し、当該第一装飾よりも大きく形成された第二装飾と、を交互に遊技者に視認可能とする演出を行うことができる。
【００６３】
まず、図３から図５までに示すように、可動演出装置１００が第一装飾を遊技者に視認可能としている状態（以下、単に「第一の状態」と記す）について説明する。
【００６４】
可動演出装置１００が第一の状態にある場合、第一可動部材２００の回動部材２３０は、第一の面２３１を前方に向けている。この場合、可動演出装置１００の前方にいる遊技者からは、回動部材２３０の第一の面２３１に施された第一装飾が視認可能となる。一方、当該遊技者からは、回動部材２３０の第二の面２３２に施された第二装飾の一部は視認不能（若しくは、視認するのが困難）となる。
【００６５】
また、可動演出装置１００が第一の状態にある場合、第二可動部材４００の第一移動部材４１０は、左側基部２１０の背後（後方）及び回動部材２３０の第一の面２３１の背後（後方）に位置している。このため、可動演出装置１００の前方にいる遊技者からは、当該第一移動部材４１０を視認することができない。
【００６６】
さらに、可動演出装置１００が第一の状態にある場合、第二可動部材４００の第二移動部材４３０（より詳細には、左側移動部材４３１及び右側移動部材４３２）は、第一可動部材２００の左右側方かつ遊技板１０（図３参照）の背後（後方）に位置している。このため、可動演出装置１００の前方にいる遊技者からは、当該左側移動部材４３１及び右側移動部材４３２を視認することができない。
【００６７】
以上の如く、可動演出装置１００が第一の状態にある場合、遊技者からは、第一装飾を視認することはできるが、第二装飾を視認することはできない。
【００６８】
次に、可動演出装置１００が第一の状態から、第二装飾を遊技者に視認可能とする状態（以下、単に「第二の状態」と記す）へと遷移する様子について説明する。
【００６９】
可動演出装置１００を第一の状態から第二の状態へと遷移させる場合、まず、モータ３１０（図４参照）を駆動させ、図６から図８までに示すように第一可動部材２００の回動部材２３０を右側面視時計回り（図６の矢印参照）に９０度回動させる。これによって、回動部材２３０の第一の面２３１が上方を向き、第二の面２３２が前方を向くことになる。この場合、可動演出装置１００の前方にいる遊技者からは、回動部材２３０の第一の面２３１に施された第一装飾が視認不能（若しくは、視認するのが困難）となるとともに、第二の面２３２に施された第二装飾の一部が視認可能となる。
【００７０】
このように、第一の状態においては遊技者から視認し難い回動部材２３０の第二の面２３２に第二装飾の一部を施しておくことで、当該回動部材２３０を回動させて、第一装飾に替えて第二装飾の一部を遊技者に視認させることができる。すなわち、第一の状態においては遊技者から視認し難い回動部材２３０の第二の面２３２を有効利用して、演出のための装飾（第二装飾）を配置することができる。
【００７１】
また、この際、回動部材２３０とともに、当該回動部材２３０に連結された第一移動部材４１０も右側面視時計回りに９０度回動することになる。この状態においては、左側基部２１０の案内溝２１１の右端と第一移動部材４１０の係合溝４１１の左端とが対向するように位置し、当該案内溝２１１及び係合溝４１１で１本の連続した溝を形成することになる。
【００７２】
次に、モータ５１０（図４参照）を駆動させ、図９から図１１までに示すように右側移動部材４３２の右側回動軸４３２ｃを正面視反時計回り（図９の矢印参照）に回動させる。右側回動軸４３２ｃを正面視反時計回りに回動させると、右側支持部４３２ｂを介して右側本体部４３２ａも右側回動軸４３２ｃを中心として正面視反時計回りに回動する。これによって、右側本体部４３２ａは、遊技板１０の背後から液晶画面２６の前方へと出現し、遊技者から視認可能となる（図１１参照）。
【００７３】
また、右側回動軸４３２ｃを正面視反時計回りに回動させると、右側連結部４３２ｄも当該右側回動軸４３２ｃを中心として正面視反時計回りに回動する。右側連結部４３２ｄが正面視反時計回りに回動すると、当該右側連結部４３２ｄに連結された連結部材４３３が右方に引かれて移動する。連結部材４３３が右方に移動すると、当該連結部材４３３の左端に連結された左側移動部材４３１の左側連結部４３１ｄが左側回動軸４３１ｃ（図１０参照）を中心として正面視時計回り（図９の矢印参照）に回動する。
【００７４】
左側連結部４３１ｄが正面視時計回りに回動すると、左側支持部４３１ｂを介して左側本体部４３１ａも左側回動軸４３１ｃを中心として正面視時計回りに回動する。これによって、左側本体部４３１ａは、遊技板１０の背後から液晶画面２６の前方へと出現し、遊技者から視認可能となる（図１１参照）。
【００７５】
また、左側本体部４３１ａが正面視時計回りに回動すると、当該左側本体部４３１ａの上端部に設けられた係合軸４３１ｅ（図６参照）は、左側基部２１０の案内溝２１１内を通って第一移動部材４１０の係合溝４１１へと案内される（図１０参照）。係合軸４３１ｅが係合溝４１１へと進入してからも左側本体部４３１ａは正面視時計回りに回動し続けるため、係合軸４３１ｅは係合溝４１１と係合し、当該係合溝４１１を下方へと押圧することになり、ひいては第一移動部材４１０を下方へと押し下げることになる。第一移動部材４１０は、伸縮機構４２０を介して回動部材２３０に連結されているため、当該第一移動部材４１０は、回動部材２３０に対して下方に移動することになる。これによって、第一移動部材４１０は第一可動部材２００の背後から下方へと出現し、遊技者から視認可能となる（図１１参照）。
【００７６】
さらにモータ５１０（図４参照）を駆動させると、図１２から図１４までに示すように、左側本体部４３１ａの上端部と右側本体部４３２ａの上端部とが当接した状態となる。この状態においては、左側本体部４３１ａ及び右側本体部４３２ａは液晶画面２６の前方に出現するとともに、第一移動部材４１０も第一可動部材２００の背後から下方に完全に出現する。この場合、可動演出装置１００は、左側基部２１０の前面に施された装飾、回動部材２３０の第二の面２３２に施された装飾、第一移動部材４１０の一の面に施された装飾、左側本体部４３１ａの前面に施された装飾及び右側本体部４３２ａの前面に施された装飾によって、第二装飾（大きい「天」の文字を模した装飾）全体を形作る状態（第二の状態）となる。
【００７７】
可動演出装置１００が第二の状態にある場合、遊技者からは、第二装飾を視認することができるが、第一装飾を視認することはできない。
【００７８】
このように、可動演出装置１００を第一の状態から第二の状態へと遷移させることで、遊技者に第一装飾に替えて第二装飾を視認させることができる。この際、第二装飾は、第一装飾が配置されていたはずのスペース（液晶画面２６の右上方）を利用して形作られ、さらに第一装飾と第二装飾とは同じ「天」という文字を模した装飾であるため、遊技者に「天」の文字が拡大されたような新鮮な印象を与えることができる。
【００７９】
また、可動演出装置１００を第一の状態から第二の状態へと遷移させる場合、回動部材２３０の回動運動、第一移動部材４１０の下方への移動、並びに左側移動部材４３１及び右側移動部材４３２の回動運動という複数種類の動きの組み合わせを遊技者に視認させることができるため、当該遊技者により新鮮な印象を与えることができる。
【００８０】
さらに、第二の状態における可動演出装置１００は、液晶画面２６の概ね全体を前方から覆うように第二装飾を出現させる。このように、遊技者の注意を惹き易い液晶画面２６の前方に大きく第二装飾を出現させることで、当該遊技者により新鮮な印象を与えることができる。
【００８１】
一方、可動演出装置１００を第二の状態から第一の状態へと遷移させることもできる。
【００８２】
この場合、まず、図１２から図１４までに示す第二の状態において、モータ５１０（図４参照）を上記と逆方向に駆動させ、左側本体部４３１ａ、右側本体部４３２ａ及び第一移動部材４１０を遊技者から視認できない位置まで移動させる（図６から図８まで参照）。
【００８３】
次に、モータ３１０（図４参照）を上記と逆方向に駆動させ、回動部材２３０を右側面視反時計回りに９０度回動させる。これによって、回動部材２３０の第一の面２３１が前方を向き、当該第一の面２３１に施された第一装飾が遊技者から視認可能となる。
【００８４】
このように、モータ３１０及びモータ５１０を所望の方向に駆動させることで、可動演出装置１００は、第一装飾と第二装飾とを交互に遊技者に視認可能とする演出を行うことができる。これによって、遊技者に「天」の文字が拡大されたり縮小されたりするような新鮮な印象を与えることができる。
【００８５】
以上の如く、本実施形態に係る遊技機１の可動演出装置１００は、「天」の文字からなる第一装飾と、前記第一装飾の文字と同じ文字からなり当該第一装飾よりも大きく形成される第二装飾と、を交互に遊技者に視認可能とする演出を行う遊技機１の可動演出装置１００であって、第一の面２３１に前記第一装飾が施されるとともに、第一の面２３１とは異なる第二の面２３２に前記第二装飾の一部分が施され、回動することにより第一の面２３１又は第二の面２３２のいずれか一方を遊技者に視認可能とする第一可動部材２００と、前記第二装飾の他の部分が施され、当該第二装飾の他の部分が遊技者に視認可能な位置と視認不能な位置との間で移動可能な第二可動部材４００と、を具備し、前記第一装飾を遊技者に視認可能とする場合には、第一可動部材２００が、第一の面２３１を遊技者に視認可能とするとともに、第二可動部材４００が、遊技者に視認不能な位置に移動し、前記第一装飾に替えて前記第二装飾を遊技者に視認可能とする場合には、第一可動部材２００が、回動して第二の面２３２を遊技者に視認可能とするとともに、第二可動部材４００が、遊技者に視認可能な位置に移動することにより、第一可動部材２００に施された第二装飾の一部分と当該第二可動部材４００に施された第二装飾の他の部分とで前記第二装飾全体を形作るものである。
【００８６】
このように構成することにより、第一装飾が配置されていたスペースを有効利用して、当該第一装飾と同じ文字からなり当該第一装飾よりも大きい第二装飾を視認可能とすることで、当該文字が拡大されたような演出を行うことができ、遊技者に新鮮な印象を与えることができる。
また、第一可動部材２００の回動運動と第二可動部材４００の移動との二種類の動きの組み合わせにより演出を行うため、遊技者に、より新鮮な印象を与えることができる。
【００８７】
また、第二可動部材４００は、第一可動部材２００が第二の面２３２を遊技者に視認可能とした場合における当該第二の面２３２の背後側に配置され、当該第一可動部材２００の背後に隠れて遊技者から視認不能な位置と当該第一可動部材２００の背後から出現して遊技者から視認可能な位置との間で移動可能な第一移動部材４１０と、第一可動部材２００の側方に配置され、遊技者に視認可能な位置と視認不能な位置との間で移動可能な第二移動部材４３０と、を具備し、第二移動部材４３０が遊技者に視認不能な位置から視認可能な位置に移動する際に、第一移動部材４１０と係合して当該第一移動部材４１０を第一可動部材２００の背後から出現させるものである。
【００８８】
また、可動演出装置１００は、第二可動部材４００が遊技者に視認可能な位置に移動した場合には、当該第二可動部材４００により液晶画面２６の前方を覆うものである。
このように構成することにより、遊技者の注意を惹き易い液晶画面２６の前方に大きく第二装飾を出現させることができ、当該遊戯者により新鮮な印象を与えることができる。
【００８９】
なお、本実施形態においては、第一装飾及び第二装飾は「天」という１つの文字からなるものとしたが、本発明はこれに限るものではなく、その他の文字からなる装飾であっても良く、また２文字以上の文字からなる装飾であっても良い。
また、本実施形態においては、第一可動部材２００は９０度回動することにより第一の面２３１又は第二の面２３２のいずれか一方を遊技者から視認可能とするものとしたが、本発明はこれに限るものではなく、第一可動部材２００をその他の角度（例えば、１８０度、２７０度等）だけ回動させて第一の面２３１又は第二の面２３２のいずれか一方を遊技者から視認可能とする構成とすることも可能である。
また、本実施形態に係る第一駆動機構３００は、第一可動部材２００を駆動させるための機構の一例であり、その構成を限定するものではない。
【００９０】
また、第二可動部材４００は、第二装飾の他の部分が施された第一移動部材４１０及び第二移動部材４３０を遊技者に視認可能な位置と視認不能な位置との間で移動可能とする構成としたが、本発明はこれに限るものではない。すなわち、当該第二装飾の他の部分を遊技者に視認可能な位置と視認不能な位置との間で移動可能とする構成であれば、第二可動部材４００を１つの部材で構成することも、より多くの部材で構成することも可能である。
また、第二可動部材４００の第一移動部材４１０は第一可動部材２００の背後から、第二移動部材４３０（左側移動部材４３１及び右側移動部材４３２）は第一可動部材２００の側方から、それぞれ遊技者に視認可能な位置に出現する構成としたが、本発明はこれに限るものではなく、遊技者に視認可能な位置と視認不能な位置との間で移動するものであれば、その出現する位置及び方向、並びに遊技者に視認不能な位置に隠れた際の位置を限定するものではない。
また、本実施形態に係る第二駆動機構５００は、第二可動部材４００を駆動させるための機構の一例であり、その構成を限定するものではない。
また、本実施形態においては、第二移動部材４３０が遊技者に視認可能な位置に移動する際に第一移動部材４１０と係合し、当該第一移動部材４１０も遊技者に視認可能な位置に移動する構成としたが、本発明はこれに限るものではない。すなわち、第一移動部材４１０に別途独立した駆動機構を設け、第一移動部材４１０及び第二移動部材４３０をそれぞれ独立した駆動機構で移動させる構成とすることも可能である。
【符号の説明】
【００９１】
１：遊技機，２６：液晶画面，１００：可動演出装置，２００：第一可動部材，４００：第二可動部材，４１０：第一移動部材，４３０：第二移動部材
【図１】
0005673488.tif 000002
【図２】
0005673488.tif 000003
【図３】
0005673488.tif 000004
【図４】
0005673488.tif 000005
【図５】
0005673488.tif 000006
【図６】
0005673488.tif 000007
【図７】
0005673488.tif 000008
【図８】
0005673488.tif 000009
【図９】
0005673488.tif 000010
【図１０】
0005673488.tif 000011
【図１１】
0005673488.tif 000012
【図１２】
0005673488.tif 000013
【図１３】
0005673488.tif 000014
【図１４】
0005673488.tif 000015